【手続補正書】
【提出日】平成28年2月4日(2016.2.4)
【手続補正１】
【補正対象書類名】特許請求の範囲
【補正対象項目名】全文
【補正方法】変更
【補正の内容】
【特許請求の範囲】
【請求項１】
コンピュータを，
アドオン形式のコンテンツを記憶する所定のサーバに対して，ユーザから受け付けたコンテンツの取得要求を送り，該サーバから対応するコンテンツを取得するコンテンツ取得手段，
前記取得したコンテンツを記憶する取得コンテンツ記憶手段，
前記取得したコンテンツを表示する処理を実行する閲覧処理手段，及び
前記コンテンツに含まれる位置情報に基づいて，前記コンピュータが備える地図機能と連動する処理を実行する連動処理手段，
として機能させる，
ことを特徴とするコンピュータプログラム。
【請求項２】
コンピュータを，
アドオン形式のコンテンツを記憶する所定のサーバに対して，ユーザから受け付けたコンテンツの取得要求を送り，該サーバから対応するコンテンツを取得するコンテンツ取得手段，
前記取得したコンテンツを記憶する取得コンテンツ記憶手段，
前記取得したコンテンツを表示する処理を実行する閲覧処理手段，及び
前記コンテンツに含まれる日時情報に基づいて，前記コンピュータが備えるスケジュール機能と連動する処理を実行する連動処理手段，
として機能させる，
ことを特徴とするコンピュータプログラム。
【請求項３】
前記連動処理手段は，
前記コンテンツに含まれる位置情報に基づいて，前記地図機能における地図情報上に，前記コンテンツのスポット・イベント情報を表示する，
ことを特徴とする請求項１に記載のコンピュータプログラム。
【請求項４】
前記連動処理手段は，
前記コンテンツに含まれる日時情報に基づいて，前記スケジュール機能に，前記日時情報を前記スケジュール機能における予定として登録する，
ことを特徴とする請求項２に記載のコンピュータプログラム。
【請求項５】
前記コンテンツは，一つのテーマごとに編集されたコンテンツであって，一つのテーマに関する複数のファイルから構成される，
ことを特徴とする請求項１〜４のいずれかに記載のコンピュータプログラム。
【請求項６】
地図機能を備えたコンピュータであって、
アドオン形式のコンテンツを記憶する所定のサーバに，ユーザが所望するコンテンツの取得要求を送ることで，それに対応するコンテンツを取得するコンテンツ取得処理部と，
前記取得したコンテンツを記憶する取得コンテンツ記憶部と，
前記取得したコンテンツを表示する処理を実行する閲覧処理部と，
前記コンテンツに含まれる位置情報に基づいて，前記地図機能と連動する処理を実行する連動処理部と，
を有することを特徴とするコンピュータ。
【請求項７】
スケジュール機能を備えたコンピュータであって、
アドオン形式のコンテンツを記憶する所定のサーバに，ユーザが所望するコンテンツの取得要求を送ることで，それに対応するコンテンツを取得するコンテンツ取得処理部と，
前記取得したコンテンツを記憶する取得コンテンツ記憶部と，
前記取得したコンテンツを表示する処理を実行する閲覧処理部と，
前記コンテンツに含まれる日時情報に基づいて，前記スケジュール機能と連動する処理を実行する連動処理部と，
を有することを特徴とするコンピュータ。
【手続補正２】
【補正対象書類名】明細書
【補正対象項目名】発明の名称
【補正方法】変更
【補正の内容】
【発明の名称】コンピュータプログラム及びコンピュータ
【手続補正３】
【補正対象書類名】明細書
【補正対象項目名】０００７
【補正方法】変更
【補正の内容】
【０００７】
第１の発明は，コンピュータプログラムであって、コンピュータを，アドオン形式のコンテンツを記憶する所定のサーバに対して，ユーザから受け付けたコンテンツの取得要求を送り，該サーバから対応するコンテンツを取得するコンテンツ取得手段，前記取得したコンテンツを記憶する取得コンテンツ記憶手段，前記取得したコンテンツを表示する処理を実行する閲覧処理手段，及び前記コンテンツに含まれる位置情報に基づいて，前記コンピュータが備える地図機能と連動する処理を実行する連動処理手段，として機能させる，コンピュータプログラムである。
また、第２の発明は、コンピュータプログラムであって、コンピュータを，アドオン形式のコンテンツを記憶する所定のサーバに対して，ユーザから受け付けたコンテンツの取得要求を送り，該サーバから対応するコンテンツを取得するコンテンツ取得手段，前記取得したコンテンツを記憶する取得コンテンツ記憶手段，前記取得したコンテンツを表示する処理を実行する閲覧処理手段，及び前記コンテンツに含まれる日時情報に基づいて，前記コンピュータが備えるスケジュール機能と連動する処理を実行する連動処理手段，として機能させる，コンピュータプログラムである。
【手続補正４】
【補正対象書類名】明細書
【補正対象項目名】０００８
【補正方法】変更
【補正の内容】
【０００８】
本発明のように構成することで，アドオン形式で配信されるコンテンツをコンピュータで取得し，閲覧することが可能となる。これによって，一つのアプリケーションプログラム（コンピュータプログラム）で，所望のコンテンツを取得することができるので，アプリケーションプログラムの数の増加や記憶容量の増加の懸念を減らすことができる。また，コンテンツを配信する側にとっても，テーマごとのコンテンツをいわゆるアドオン形式で配信することで，テーマごとにアプリケーションプログラムを設計，開発等する必要がなくなる。
【手続補正５】
【補正対象書類名】明細書
【補正対象項目名】０００９
【補正方法】変更
【補正の内容】
【０００９】
上述の第１、第２の発明において，前記コンテンツは，一つのテーマごとに編集されたコンテンツであって，一つのテーマに関する複数のファイルから構成される，コンピュータプログラムのように構成することができる。
【手続補正６】
【補正対象書類名】明細書
【補正対象項目名】００１１
【補正方法】変更
【補正の内容】
【００１１】
上述の第１の発明において，前記連動処理手段は，前記コンテンツに含まれる位置情報に基づいて，前記地図機能における地図情報上に，前記コンテンツのスポット・イベント情報を表示する，コンピュータプログラムのように構成することができる。
【手続補正７】
【補正対象書類名】明細書
【補正対象項目名】００１３
【補正方法】変更
【補正の内容】
【００１３】
上述の第２の発明において，前記連動処理手段は，前記コンテンツに含まれる日時情報に基づいて，前記スケジュール機能に，前記日時情報を前記スケジュール機能における予定として登録する，コンピュータプログラムのように構成することができる。
【手続補正８】
【補正対象書類名】明細書
【補正対象項目名】００１５
【補正方法】削除
【補正の内容】
【手続補正９】
【補正対象書類名】明細書
【補正対象項目名】００１６
【補正方法】削除
【補正の内容】
【手続補正１０】
【補正対象書類名】明細書
【補正対象項目名】００１７
【補正方法】削除
【補正の内容】
【手続補正１１】
【補正対象書類名】明細書
【補正対象項目名】００１８
【補正方法】変更
【補正の内容】
【００１８】
また、第３の発明は，地図機能を備えたコンピュータであって、アドオン形式のコンテンツを記憶する所定のサーバに，ユーザが所望するコンテンツの取得要求を送ることで，それに対応するコンテンツを取得するコンテンツ取得処理部と，前記取得したコンテンツを記憶する取得コンテンツ記憶部と，前記取得したコンテンツを表示する処理を実行する閲覧処理部と，前記コンテンツに含まれる位置情報に基づいて，前記地図機能と連動する処理を実行する連動処理部と，を有するコンピュータである。
また、第４の発明は、スケジュール機能を備えたコンピュータであって、アドオン形式のコンテンツを記憶する所定のサーバに，ユーザが所望するコンテンツの取得要求を送ることで，それに対応するコンテンツを取得するコンテンツ取得処理部と，前記取得したコンテンツを記憶する取得コンテンツ記憶部と，前記取得したコンテンツを表示する処理を実行する閲覧処理部と，前記コンテンツに含まれる日時情報に基づいて，前記スケジュール機能と連動する処理を実行する連動処理部と，を有するコンピュータである。
【手続補正１２】
【補正対象書類名】明細書
【補正対象項目名】００１９
【補正方法】変更
【補正の内容】
【００１９】
本発明によって，ユーザは，一つのアプリケーションプログラムをダウンロードしておけば，テーマごとに所望のコンテンツを取得することができるので，アプリケーションプログラムの数の増加や記憶容量の増加の懸念を減らすことができる。また，コンテンツを配信する側にとっても，テーマごとのコンテンツをいわゆるアドオン形式で配信することで，一つのアプリケーションプログラムでの管理が可能となり，テーマごとにアプリケーションプログラムを設計，開発等する必要がなくなる。